(57)【要約】  【課題】  栽培の自由度を確保しながら常に軽量な状態を保持できる植物栽培用基材及び栽培床を提供することを課題とする。  【解決手段】  棒状の疎水性のある心材と、前記心材の外周面に巻きつけられ固定される保水性のあるシート体とからなる植栽用基材を、複数、平行に密着させて配列し、これを上下に位置する前記植栽用基材の方向が互いに直交するように複数層重ねることにより栽培床を形成する。このような構成により植栽用基材間に植物を栽培することで比較的高い栽培の自由度を確保でき、また、心材を疎水性のある軽い材料により形成すれば給水時に心材は水分を含まないので、常に軽い状態を維持することができる。【選択図】  図４
0003116252.tif 000002
【実用新案登録請求の範囲】
【請求項１】
棒状の疎水性のある心材と、
前記心材の外周面に巻きつけられ固定される保水性のあるシート体と
からなる植栽用基材。
【請求項２】
前記心材は円柱状である請求項１に記載の植栽用基材。
【請求項３】
前記心材は、発泡合成樹脂により形成される請求項１に記載の植栽用基材。
【請求項４】
請求項１から３のいずれか1項に記載の植栽用基材を複数、平行に密着させて配列し、これを上下に位置する前記植栽用基材が互いに異なる角度で交わるように複数層重ねることにより形成される栽培床。
【請求項５】
上下に位置する植栽用基材は互いに直行するように交わる請求項４に記載の栽培床。
【考案の詳細な説明】
【技術分野】
【０００１】
本考案は、屋上緑化や室内緑化等に使用される、土壌の代替物としての植栽用基材及び栽培床に関する。
【背景技術】
【０００２】
従来、建物の屋上や施設の室内の緑化ために、比重の小さい、土壌に変わる植栽用の基材が種々提案されている。このような基材を用いるのは、屋上や施設内に大量の土壌を使用すると重さにより屋根や床を破損させてしまうことがあるために、ことを防ぐことが一つの理由となっている。このような基材として、軽量土にさらに比重の小さな粒状材を混合したもの、下記特許文献３に示すようなシート体を用いるもの、下記特許文献１、２に示すようなブロック体を用いるものなどがある。
ところで、軽量土に粒状材を混合する方法の場合、粒状材を多く混合しすぎると植物の保持力が十分でなくなるためにせいぜい比重０．８程度が限界である。また、シート体を用いる場合も植物の保持力を確保するために、おもしとなる重量を持った部分を設ける必要が生じる。このためこれらの方法はどうしても重量がかさんでしまうことになる。一方、ブロック体の場合は、ブロックをうまく固定すれば全体を重くする必要はなく、軽量化にもっとも適している。
【特許文献１】特開２００２−１２９５８７号公報
【特許文献２】特許第３５９３１０９号公報
【特許文献３】特開２００４−１５４１１８号公報
【考案の開示】
【考案が解決しようとする課題】
【０００３】
しかし、上記特許文献２に記載の方法の場合、ブロックの上面に予め設けられた植栽孔に苗を植えるものであるために、栽培の自由度が制限されてしまう。一方、特許文献１に記載の方法では、ブロックに穴を開けたりブロックとブロックの隙間に苗を植えるものであるので、栽培の自由度は確保されるが、ブロックが均質なために水を供給するとブロック全体が水を吸収してしまい、全体の重量が大きくなってしまうという問題が生じる。
本考案は、このような問題に鑑みて、栽培の自由度を確保しながら常に軽量な状態を保持できる植物栽培用基材及び栽培床を提供することを課題とする。
【課題を解決するための手段】
【０００４】
上記課題を解決するために、本考案は次のような構成を有する。
請求項１に記載の考案は、棒状の疎水性のある心材と、前記心材の外周面に巻きつけられ固定される保水性のあるシート体とからなる植栽用基材である。なお、シート体は、巻きつけた状態において端部同士が連結して筒状になっているものを含む。この植栽用基材は、複数平行に密着して配列して両端の植栽用基材を固定して栽培床を形成し、植栽用基材同士の隙間に植物を植える。
請求項２に記載の考案は、前記植栽用基材において、前記心材を円柱状としたものである。
請求項３に記載の考案は、前記植栽用基材において、前記心材を発泡合成樹脂により形成したものである。
請求項４に記載の考案は、前記植栽用基材を複数、平行に密着させて配列し、これを上下に位置する前記植栽用基材の方向が互いに異なる角度で交わるように複数層重ねることにより形成される栽培床である。
請求項５に記載の考案は、請求項４に記載の栽培床において、上下に位置する植栽用基材は互いに直行するように交わるものである。
【考案の効果】
【０００５】
請求項１に記載の考案は、植栽用基材同士の隙間に植物を植えるので、比較的栽培の自由度を高くすることができ、また、植栽用基材により植物を挟持固定するので、植栽用基材そののもの重さを必要としないので、軽い材料を使用することができる。さらに、疎水性の心材には水分が吸収されず、水分は、心材表面のシート体のみに吸収されるので、水分を供給しても大きく重量が増すことがない。
請求項２に記載の考案は、心材を円柱状とすることで、植栽用基材を平行に密着して並べると互いに線接触をするので、角柱のように面接触する場合に比較して植栽用基材間の隙間に植物を植える際の力が小さくて済み、作業の効率化を図ることができる。
請求項３に記載の考案は、心材を発泡合成樹脂により形成することで、軽くて疎水性のある心材を簡易に成型により製作することができる。
請求項４に記載の考案は、平行に配列した植栽用基材を上下に異なる角度で交わるように積層することで、一箇所に水を供給すれば直交する２方向に水が浸透して、速やかに栽培床全体に水を行き渡らせることができる。
請求項５に記載の考案は、上下の植栽用基材を直行するように配列することで、直方体状の箱に入れる場合に効率よく重ねることができる。
【考案を実施するための最良の形態】
【０００６】
以下、本考案の実施形態について、図を参照しながら説明する。
図１に本実施形態に係る植栽用基材Ｘの斜視図を示し、図２に植栽用基材Ｘの拡大横断面図を示す。植栽用基材Ｘは棒状の心材１０と心材の側面を覆う、シート体２０により構成される。心材１０は発泡ポリプロピレンにより直径５０ｍｍ、長さ１ｍの円柱状に形成される。心材１０の材質は、平均比重が小さく疎水性があるものであれば種々のものが採用でき、発泡ポリプロピレン以外の発泡合成樹脂でもよく、全体の比重が小さければよいので中空の合成樹脂性パイプなどを使用することもできる。また、大きさ等も使用目的に応じて適宜変更することができる。
シート体２０は厚さ５ｍｍの不織布により形成され、心材１０の外周に巻きつけられて接着固定される。シート体２０は保水性があり、毛管現象により水を吸収するものであればどのようなものでもよく、不織布の他に、布や紙などを採用することができる。
【０００７】
図３に植物用基材Ｘを用いた栽培床Ｙの斜視図を示し、図４に栽培床Ｙの分解斜視図を示す。栽培床Ｙは、植栽用機材Ｘを平行に密着させて配列したものを５層に重ね、上下に隣接するものの植栽用基材Ｘの方向が互いに直交するようにし、この積相体の側面外周に嵌合する大きさを有する保持箱３０に積層体を嵌入したものである。なお、植栽用基材Ｘ同士に隙間ができるような場合には、疎水性のブロックや袋体の周りに保水性のシートを巻いたものを適宜詰めるようにすればよい。
【０００８】
次に、以上のような構成を有する植栽床Ｙの使用方法について説明する。まず、使用者は栽培床Ｙを屋上等適当な場所に設置する。それから、複数の植物Pを、根元部分を植物用基材Ｘ同士の隙間に差し入れ挟持固定させることで栽培床Ｙ上に定着させる。その後、水や液肥などを保持箱３０内へ注ぎいれる。注がれた水分は、植栽用基材Ｘのシート体表面を伝って、すべての植栽用基材Ｘの表面へ行き渡る。その後、適宜、水や液肥を供給して植物Pを育てることで屋上等の緑化を実現することができる。
【図面の簡単な説明】
【０００９】
【図１】実施形態に係る植栽用基材を示す斜視図である。
【図２】実施形態に係る植栽用基材の拡大横断面図である。
【図３】実施形態に係る栽培床の斜視図である。
【図４】実施形態に係る栽培床の分解斜視図である。
【符号の説明】
【００１０】
Ｘ  植栽用基材
Ｙ  栽培床
１０  心材
２０  シート体
３０  保持箱
【図１】
0003116252.tif 000003
【図２】
0003116252.tif 000004
【図３】
0003116252.tif 000005
【図４】
0003116252.tif 000006